(57)【特許請求の範囲】
【請求項１】
アドレス情報と記録案内溝を蛇行させて形成されたウォブルとがあらかじめ記録されている光ディスクに情報を記録する情報記録装置であって、
前記アドレス情報を検出するアドレス情報検出手段と、
検出したアドレス情報と任意に指定するアドレスとの一致を検出する一致検出手段と、
前記ウォブルからウォブル信号を検出するウォブル検出手段と、
検出したウォブル信号に基づいて該ウォブル信号に同期した記録クロックを生成する位相同期化回路（ＰＬＬ）と、
前記一致検出手段で検出された一致点を起点として前記記録クロックを所定数計数した後に信号を出力するタイミング生成手段と、
記録データ変調回路と、
該記録データ変調回路の出力データの通過又は阻止を行うゲート手段とを備え、
前記タイミング生成手段の第１の出力信号により前記記録データ変調回路の動作開始又は停止を制御し、前記タイミング生成手段の第２の出力信号により前記ゲート手段のデータ通過又は阻止を行うことで記録クロック単位で情報の記録の開始位置および終了位置を制御することを特徴とする情報記録装置。
【請求項２】
請求項１記載の情報記録装置において、前記タイミング生成手段の第２の出力信号は、第１の出力信号の変化位置から記録クロックを所定数計数した後に出力されることを特徴とする情報記録装置。
【請求項３】
アドレス情報と記録案内溝を蛇行させて形成されたウォブルとがあらかじめ記録されている光ディスクに情報を記録する情報記録装置であって、
前記アドレス情報を検出するアドレス情報検出手段と、
前記ウォブルからウォブル信号を検出するウォブル検出手段と、
検出したウォブル信号に基づいて該ウォブル信号に同期した記録クロックを生成する位相同期化回路（ＰＬＬ）と、
前記アドレス情報検出手段のアドレス変化点を起点として前記記録クロックをアドレス変化間隔繰り返して計数する計数手段と、
前記計数手段の計数値をデコードし任意に指定する値に到達したときに信号を出力するデコード手段と、記録データ変調回路と、該記録データ変調回路の出力データの通過又は阻止を行うゲート手段と、
外部からの記録停止信号入力時に前記アドレス情報及び前記計数手段の計数値を保持するデータ保持手段とを備え、
前記デコード手段の第１の出力信号により前記記録データ変調回路の動作開始を制御し、前記デコード手段の第１の出力信号と前記記録停止信号とにより前記記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行うことで記録クロック単位で情報の記録を行うと共に、前記記録停止信号入力時に情報の記録を終了し、前記データ保持手段に保持しているアドレス及び計数手段の計数値で次の記録開始位置を特定して、記録停止時までに記録された情報と次に記録開始する情報との連続性を保持して記録を行うことを特徴とする情報記録装置。
【請求項４】
請求項１乃至３のいずれかに記載の情報記録装置において、
前記アドレス情報は、ランドプリピット信号として記録されたアドレス情報であることを特徴とする情報記録装置。
【請求項５】
請求項１乃至４のいずれかに記載の情報記録装置において、
前記光ディスクには記録トラックが螺旋状にグルーブで形成されており、アドレス情報が隣接するグルーブ間のランド部にピットで形成されていることを特徴とする情報記録装置。
【請求項６】
アドレス情報と記録案内溝を蛇行させて形成されたウォブルとがあらかじめ記録されている光ディスクに情報を記録する情報記録装置であって、
前記ウォブルからウォブル信号を検出するウォブル検出手段と、
検出したウォブル信号からアドレス情報を復調するアドレス復調手段と、
検出したウォブル信号に基づいて該ウォブル信号に同期した記録クロックを生成する位相同期化回路（ＰＬＬ）と、
復調したアドレス情報と任意に指定されたアドレスとの一致を検出する一致検出手段と、
前記一致検出手段で検出された一致点を起点として前記記録クロックを所定数計数した後に信号を出力するタイミング生成手段と、
記録データ変調回路と、
該記録データ変調回路の出力データの通過又は阻止を行うゲート手段とを備え、
前記タイミング生成手段の第１の出力信号により変調回路の動作開始又は停止を制御し、前記タイミング生成手段の第２の出力信号により前記ゲート手段のデータ通過又は阻止の制御を行うことで記録クロック単位で情報の記録を行うことを特徴とする情報記録装置。
【請求項７】
アドレス情報と記録案内溝を蛇行させて形成されたウォブルとがあらかじめ記録されている光ディスクに情報を記録する情報記録装置であって、
前記ウォブルからウォブル信号を検出するウォブル検出手段と、
検出したウォブル信号からアドレス情報を復調するアドレス復調手段と、
検出したウォブル信号に基づいて該ウォブル信号に同期した記録クロックを生成する位相同期化回路（ＰＬＬ）と、
前記アドレス復調手段のアドレス変化点を起点として前記記録クロックをアドレス変化間隔繰り返して計数する計数手段と、
前記計数手段の計数値をデコードし任意に指定する値に到達したときに信号を出力するデコード手段と、
記録データ変調回路と、
該記録データ変調回路の出力データの通過又は阻止を行うゲート手段と、
外部からの記録停止信号入力時に前記アドレス情報及び前記計数手段の計数値を保持するデータ保持手段とを備え、
前記デコード手段の第１の出力信号により記録データ変調回路の動作開始を制御し、前記デコード手段の第１の出力信号と前記記録停止信号とにより記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行うことで記録クロック単位で情報の記録を行うと共に、前記記録停止信号入力時に情報の記録を終了し、前記データ保持手段に保持しているアドレス及び計数手段の計数値で次の記録開始位置を特定し、記録停止時までに記録された情報と次に記録開始する情報との連続性を保持して記録を行うことを特徴とする情報記録装置。
【発明の詳細な説明】
【０００１】
【発明の属する技術分野】
本発明は、光ディスクに、データを記録、再生を行うための制御技術に係り、特に、光ディスクの一部に既に記録が行われている場合でも、記録されていない場合でもディスクの任意の位置に記録を行う事ができる技術に用いて好適である。
【０００２】
【従来の技術】
光ディスクとしてはＭＯ（光磁気ディスク）とＣＤ−Ｒ／ＲＷが良く知られている。前者はセクタ構造が用いられているため、ディスク上の任意の位置にデータの記録再生が行われる。一方後者のＣＤ−Ｒ／ＲＷは音楽用のＣＤ（コンパクトディスク）を基にして開発されたため、１枚のディスクに連続してデータの記録を行うことが基本的な使用方法であり、ＭＯのようなランダムな記録再生は行えない。
しかし、使用者の利便性を考慮し、トラックアットワンス、セッションアットワンス、という方法が開発され、連続しないデータの追記記録が提供されている。しかしながら、あくまでも音楽用のデータ構造を流用していることから、実際のディスク上では、追記したデータと以前のデータとが連続して記録されているわけではなく、両者の間に多くのバッファ領域が設けられている。
【０００３】
これに対して、ＤＶＤ−Ｒ／ＲＷディスクやＤＶＤ＋ＲＷディスクにおいては、ブロックという単位でデータが完結するようにデータフォーマットが構成されており、このブロック単位でデータを記録することにより、データ間のバッファを設けることなく追記記録を実現できるようになっている。
【０００４】
ＤＶＤ−Ｒディスクに記録を行う例としては、特開２０００−２９８９４６号公報に記載されている。この従来技術では、記録終了時における最終ＥＣＣブロックの次のＥＣＣブロックの先頭セクタにダミーデータを記録しておき、追記記録時にこのダミーデータ中のＳＹＮＣ信号を検出することでつなぎ記録を行うアドレス情報を入手してバッファレス記録を行うことが開示されている。
【０００５】
【発明が解決しようとしている課題】
しかし、上記従来例では、ダミーデータに基づいてアドレスを検出するという手法を用いているため、即ち、前回の記録終了部分の次にダミー部を設け、このダミー部の次から書き始めるため、ダミーデータを持たない箇所への追記記録ができず、例えば、同一箇所に何度も情報を書き直せるリライタブルのＤＶＤ−ＲＡＭディスクにおいては書換えに不自由をきたし、また、同一箇所に一度だけ情報を書き込めるライトワンスのＤＶＤ−Ｒにおいてもダミー記録機能を持たない従来の装置で記録されたディスクに対して追記記録ができないという不自由さを有していた。
【０００６】
更に、これまでのドライブ装置では、外部からの衝撃やディスクの欠陥、ディスクの表面に付着したごみや汚れに起因する、光ピックアップの光ビームを制御するサーボ信号の乱れ、あるいは、所定の回転を保つ必要があるスピンドルモータサーボの乱れによって、突発的に記録停止が起こると、記録を停止した位置が分からず、記録を再開することが出来なくなり、場合によってはそのディスク自体が使用できなくなることもあった。
【０００７】
本発明の目的はダミーデータを必要とせずにバッファレスつなぎ記録を行うことによって、リライタブルのディスクの繰り返し記録や、ダミー記録がされていないライトワンスのディスクに対する追記記録を可能とする光ディスクへの情報記録技術を提供することを目的とする。
また、本発明の他の目的は、予期できない要因で記録を停止した場合においても、記録停止位置から記録を再開でき、それまでに記録したデータやディスクを無駄にすることがない光ディスクへの情報記録技術を提供することにある。
【０００８】
【課題を解決するための手段】
本発明の目的を達成するために、第１の発明では、情報記録装置は、アドレス情報が記録されている光ディスクからアドレス情報を検出する手段と、検出したアドレス情報と任意に指定するアドレスとの一致を検出する一致検出手段と、検出した回転制御情報より記録クロックを生成するクロック生成手段と、前記一致検出手段で検出された一致点を起点として前記記録クロックを計数して、所定の時間後に信号を出力するタイミング生成手段とを備え、前記タイミング生成手段の出力で記録データの通過を制御することによって、前記光ディスクに情報の記録を行う。
第１の発明において、記録データ変調回路と、前記変調回路の出力データの通過又は阻止を行うゲート回路とを設け、前記タイミング生成手段の第１の出力信号により前記変調回路の動作開始又は停止を制御し、前記タイミング生成手段の第２の出力信号により前記ゲート回路のデータ通過又は阻止を行う。
【０００９】
第２の発明では、情報記録装置は、アドレス情報と回転制御情報とがあらかじめ記録されている光ディスクから前記アドレス情報を検出するアドレス情報検出手段と、前記回転制御情報を検出する回転制御情報検出手段と、前記回転制御情報検出手段で検出した回転制御情報より記録クロックを生成するクロック生成手段と、検出したアドレス情報と任意に指定するアドレスとの一致を検出する一致検出手段と、前記一致検出手段を起点として前記記録クロックを計数し、所定の時間後に信号を出力するタイミング生成手段と、記録データ変調回路と、前記記録データ変調回路の出力データの通過又は阻止を行うゲート手段とを備え、前記タイミング生成手段の第１の出力信号により前記変調回路の動作開始又は停止を制御し、前記タイミング生成手段の第２の出力信号により前記ゲート手段のデータ通過又は阻止を行い、前記光ディスクの任意の位置に情報の記録を行う。
第２の発明において、タイミング生成手段の第２の出力信号は、第１の出力信号の変化位置から記録クロックを所定数計数した後に出力される。
【００１０】
第３の発明では、情報記録装置は、アドレス情報と回転制御情報とがあらかじめ記録されている光ディスクから前記アドレス情報を検出するアドレス情報検出手段と、前記回転制御情報を検出する回転制御情報検出手段と、検出された前記回転制御情報より記録クロックを生成するクロック生成手段と、前記アドレス情報検出手段のアドレス変化点を起点として前記記録クロックをアドレス変化間隔繰り返して計数する計数手段と、前記計数手段の計数値をデコードし任意に指定する値に到達したときに信号を出力するデコード手段と、記録データ変調回路と、該記録データ変調回路の出力データの通過又は阻止を行うゲート手段と、外部からの記録停止信号入力時に前記アドレス情報及び前記計数手段の計数値を保持するデータ保持手段とを備え、前記デコード手段の第１の出力信号により前記記録データ変調回路の動作開始を制御し、前記デコード手段の第１の出力信号と前記記録停止信号とにより前記記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行って、前記光ディスクの任意の位置に情報の記録を行うと共に、前記記録停止信号入力時に情報の記録を終了し、前記データ保持手段に保持しているアドレス及び計数手段の計数値で次の記録開始位置を特定して、記録停止時までに記録された情報と次に記録開始する情報との連続性を保持して記録を行う。
【００１１】
第４の発明では、情報記録装置は、アドレス情報により変調された回転制御信号があらかじめ記録されている光ディスクから前記回転制御信号を検出する回転制御信号検出手段と、前記回転制御信号からアドレス情報を復調する手段と、検出された前記回転制御情報より記録クロックを生成するクロック生成手段と、復調したアドレス情報と任意に指定されたアドレスとの一致を検出する一致検出手段と、前記一致検出手段を起点として前記記録クロックを計数し、所定の時間後に信号を出力するタイミング生成手段と、記録データ変調回路と、前記記録データ変調回路の出力データの通過又は阻止を行うゲート手段とを備え、前記タイミング生成手段の第１の出力信号により変調回路の動作開始又は停止を制御し、前記タイミング生成手段の第２の出力信号により前記ゲート手段のデータ通過又は阻止の制御を行い、前記光ディスクの任意の位置に情報の記録を行う。
【００１２】
第５の発明では、情報記録装置は、アドレス情報により変調された回転制御信号があらかじめ記録されている光ディスクから前記回転制御信号を検出する回転制御信号検出手段と、前記回転制御信号からアドレス情報を復調するアドレス復調手段と、検出された回転制御情報より記録クロックを生成するクロック生成手段と、前記アドレス復調手段のアドレス変化点を起点として前記記録クロックをアドレス変化間隔繰り返して計数する計数手段と、前記計数手段の計数値をデコードし任意に指定する値に到達したときに信号を出力するデコード手段と、記録データ変調回路と、前記記録データ変調回路の出力データの通過又は阻止を行うゲート手段と、外部からの記録停止信号入力時に前記アドレス情報及び前記計数手段の計数値を保持するデータ保持手段とを有し、前記デコード手段の第１の出力信号により記録データ変調回路の動作開始を制御し、前記デコード手段の第１の出力信号と前記記録停止信号とにより記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行って、前記光ディスクの任意の位置に情報の記録を行うと共に、前記記録停止信号入力時に情報の記録を終了し、前記データ保持手段に保持しているアドレス及び計数手段の計数値で次の記録開始位置を特定し、記録停止時までに記録された情報と次に記録開始する情報との連続性を保持して記録を行う。
【００１３】
上記に記載の発明において、前記回転制御信号は、前記光ディスクの情報記録トラックを蛇行させて形成される。また、第１乃至２の発明において、前記光ディスクには記録トラックが螺旋状にグルーブで形成されており、アドレス情報が隣接するグルーブ間のランド部にピットで形成されている。
【００１４】
【発明の実施の形態】
以下、本発明の実施の形態について、幾つかの実施例を用い、図を参照して説明する。
図１は本発明による記録再生装置の第１の実施例を示すブロック図である。図において、１はＤＶＤ−Ｒ／ＲＷディスク、２は光ピックアップ、３はスピンドルモータ、４はレーザ駆動回路、５はフロントエンド増幅器、６はウォブル検出回路、７はＬＰＰ検出回路、８はＬＰＰ復調回路、９は記録クロック生成回路、１０は記録制御回路、１１は変調回路、１２は復調回路、１３は訂正回路、１４は訂正符号生成回路、１５はホストインターフェイス、１６ａ、１６ｂは後述する第１、第２のゲート回路である。
【００１５】
先ず、通常の再生動作について説明する。光ディスク１はスピンドルモータ３で所定回転数に回転させられ、光ピックアップ２により再生に適したパワーに調整されたレーザビームが照射され、その反射光量を光ピックアップ内に設けられた光検出素子で検出し、電気信号に変換する。変換された電気信号はデータ系信号とサーボ系信号とに分離され、フロントエンド増幅器５により、夫々に適した信号処理がなされた後、復調回路１２及びサーボ回路（図示せず）に入力される。サーボ回路にはサーボ信号２２がに入力される。後述するウォブル信号２３、ＬＰＰ信号２４もまた、フロントエンド増幅器５により信号処理がなされた後、ウォブル検出回路６、ＬＰＰ（ランドプリピット）検出回路７に入力される。データ信号２１は復調回路１２で復調された後、訂正回路１３で誤りが訂正され、ホストインターフェイス１５を通してホスト装置（図示せず）に転送される。サーボ信号はサーボ回路（図示せず）で処理され、光ピックアップのアクチュエータ（図示せず）を駆動する。
【００１６】
フロントエンド増幅器５により再生信号から抽出されたウォブル信号２３は、ウォブル検出回路６において雑音やディスク上の汚れや傷、ディスク自体の欠陥等による信号の欠落、湧き出し、周期変動を吸収し安定したウォブル信号２５に置き換えられる。この安定化されたウォブル信号２５を基準にして、記録クロック生成回路９において、データ記録用クロック２６及びＬＰＰ検出用クロック２７が生成される。ＬＰＰ信号２４は、ＬＰＰ検出回路７において、パルス列の検出及びデジタル信号への変換が行われ、ＬＰＰ復調回路８においてＬＰＰ信号の復調、誤り訂正が行われる。
【００１７】
次に、記録動作について説明する。記録時にも再生時と同様に記録レーザ光による反射信号から、データ信号、サーボ信号２２、ウォブル信号２３、ＬＰＰ信号２４に分離されそれぞれの回路に供給される。ただし、データ信号２１からのデータの復調、誤り訂正動作は行われない。また、記録時には、ピット形成時の大きなレーザ発光パワーと、再生パワーあるいは再生パワーとピット形成パワーの間に位置する消去パワーが交互に出力されるが、ピット形成時のパワー発光時は光検出信号レベルが大きすぎるため、回路の飽和などが発生するので、低パワー領域の検出信号レベルをサンプリングして使用する。あるいは、サンプリングを行わずに光検出信号全体を減衰させて使用する。適切な信号レベルに変換された後のサーボ回路、ウォブル検出回路６、ＬＰＰ検出回路７の動作は再生時と同じである。
【００１８】
ホスト（図示せず）からホストインターフェイス１５を経由して送られてきた記録データは、訂正符号生成回路１４において訂正符号を付加され、変調回路１１において所定の変調規則により実際に光ディスクに記録を行う記録ビット列３５に変換される。変調回路１１はまた、レーザ駆動回路４を記録状態にするためのレーザ制御信号３６を生成する。記録ビット列３５及びレーザ制御信号３６は、後で動作を詳述する第１、第２のゲート回路１６ａ、１６ｂを経由し、記録ビット列３７、レーザ制御信号３８として、レーザ駆動回路４に入力される。レーザ駆動回路４は、レーザ制御信号３８が記録状態にあるときに限り、記録ビット列の“１”、“０”に対応して例えば“１”のときに記録パワーを発光させ、“０”のときには再生パワーあるいは消去パワーを発光させる。レーザ制御信号３８が再生状態の時は、記録ビット列３７の値にかかわらず再生パワーを発光させる。レーザ駆動回路４はまた再生時のレーザ雑音を低減するための高周波重畳機能を有している。レーザ制御信号３８が再生状態の時にはレーザ光に高周波信号を重畳し、記録状態の時には高周波信号を重畳しない。あるいは、レーザ制御信号３８が再生状態の場合及び記録状態であるが記録ビット列３７が例えば“０”で発光パワーが再生パワーあるいは消去パワーである時のみ高周波信号を重畳するという制御をおこなう。レーザ駆動回路４はさらに、図示していないシステム制御手段により動作モードを切替える機能を有することもあるが、これら機能の有無が本発明の適用範囲を制限するものではない。
【００１９】
次に、ウォブル信号検出及び記録クロック生成動作に関して、図２を用いて詳細に説明する。
図２はＤＶＤ−Ｒ／ＲＷディスクの一部断面斜視図である。図において、レーザビームは図の裏面から全面に向かって光ディスク１に照射される。光ディスク１は記録案内溝３１、グルーブ３２、ランド３３、ＬＰＰ（ランドプリピット）３４から構成されている。ウォブルは記録案内溝３１を蛇行させて形成することによりディスク上に記録されており、記録案内溝３１に照射されたレーザ光の案内溝壁面における回折光を検出するいわゆるプッシュプル方式により検出される。
【００２０】
図３はウォブル信号及びＬＰＰ信号の検出波形図であり、図３（ａ）はウォブル二値化信号の波形図を、図３（ｂ）は検出ウォブル信号の波形図を、図３（ｃ）はＬＰＰ二値化信号の検出波形図を示す。また、図において、横軸は時間ｔを、縦軸は信号振幅を示す。ウォブルが正しく検出されるときには図３（ｂ）に示すように、正弦波状の信号波形が得られる。フロントエンド増幅器５はこのウォブル検出信号を、図３（ａ）に示すように、二値化したウォブル信号２３に変換しウォブル検出回路６に供給する。このウォブル信号２３は後述する記録クロック生成回路９の基準クロックとなる。安定した記録クロックを得るためには、基準クロックとなるウォブル信号に欠落や、タイミングずれが生じないようにする必要がある。ウォブル検出回路６では、ウォブル信号の欠落やタイミングずれを補正する。また、フロントエンド増幅器５で、図３（ｂ）に示すウォブル再生信号にパルス状に重畳されたＬＰＰ信号から、図３（ｃ）に示す二値化したＬＰＰ信号を生成し、ＬＰＰ検出回路７に供給する。
【００２１】
図４は記録クロック生成回路の一実施例を示すブロック図である。記録クロック生成回路９は、いわゆる位相同期化回路（ＰＬＬ：Ｐｈａｓｅ  ＬｏｃｋｅｄＬｏｏｐ）であり、位相比較器９１、ローパスフィルタ９２、電圧制御発振器９３及び分周器から構成されている。位相比較器９１の一方の入力端子にウォブル信号が入力されると、電圧制御発振器９３の出力端にデータ記録用クロックが出力される。ウォブル信号の周波数は記録チャネルクロックと整数比となるように選定されている。したがって、ＰＬＬの基準信号として保護や補正が行われ安定化されたウォブル信号を使用することにより、ウォブル信号に同期した記録クロックが生成される。ウォブル信号の検出周波数は、記録案内溝３１を一定線速度で走査したときに一定周波数となるように構成されている。したがって、ウォブル信号周波数が一定となるようにスピンドルモータ３の回転を制御することにより、線速度一定（ＣＬＶ）の回転制御が実現される。
【００２２】
次に、ランドプリピット（ＬＰＰ）信号の検出及び復調動作に関して説明する。図２に示したディスクの断面図において、記録が行われる部分がグルーブであり、グルーブにはさまれた部分がランドである。図２においてランド上に刻まれたピットがランドプリピット（ＬＰＰ）と呼ばれているものであり、その再生信号は、図３（ｂ）に示すように、ウォブル信号にパルス状に重畳された信号となる。フロントエンド増幅器５は、図３（ｂ）の再生信号のランドプリピット部を二値化して図３（ｃ）に示すランドプリピット信号２４を生成し、ＬＰＰ検出回路７に供給する。ランドプリピット３４はＤＶＤ−Ｒ／ＲＷディスクのトラックに沿って形成されており（図２参照）、記録案内溝３１に沿って記録あるいは再生を行う際の位置情報を提供する。ランドプリピット信号２４は、隣接して配置される３個のピットの有無の組合せによりＳＹＮＣビットとデジタルの１又は０の情報を表し、このデジタル情報を所定の複数個集めることにより、位置情報（アドレス情報）とその他の情報を得ることが出来る。
【００２３】
ＤＶＤ−Ｒ／ＲＷディスクに記録を行うためには、このＬＰＰ信号から得られる位置情報から光ピックアップの位置決めを行い、記録開始及び終了を制御する。特に、すでに記録されているデータと、新たな記録データとの間にバッファ領域を設けることなく記録する場合には、高精度の光ピックアップ位置決めが必要である。
【００２４】
以下、本発明によるＬＰＰ検出回路の一実施例について、図５、図６を用いて説明する。
図５は本発明によるＬＰＰ検出回路の一実施例を示すブロック図である。図６は図５に示すＬＰＰ検出回路の動作を説明するためのタイミングチャートであり、図６（ａ）はＬＰＰ二値化信号及びこの二値化信号に重畳されている雑音を、図６（ｂ）は第１のゲート信号を、図６（ｃ）は第１のゲート信号によって出力されるパルス信号を、図６（ｄ）は第２のゲート信号を、図６（ｅ）はＬＰＰ検出信号を示す。
ＬＰＰ検出動作としては、まずピット列の先頭ピットを抽出し、これを基準タイミングとして記録クロックを計数し、後続のピットの発生位置を推定し、検出窓を設定することによりピットの湧き出しの排除を行う。また、検出窓中にピットが検出できなかった場合には何らかの理由でピットが失われたものと判断し、このピットを含んで決定されるべき情報ビットを１又は０であるものとして仮定して、次のピットの検出を行う。これにより、もしピットが失われたとしても、それの係わる情報ビットの値が不確定になるだけで、後続する情報ビットの検出に影響を与えず、安定な検出を実現する。不確定ビットは、後述するＬＰＰ復調回路８における誤り訂正機能により訂正される。検出窓生成の基準となるＳＹＮＣピットに関しても、一つ前のＳＹＮＣピットの検出位置より検出窓を生成し、湧き出しピットの誤検出を防止する。検出窓中にＳＹＮＣピットが検出できなかった場合には以前に検出されたＳＹＮＣピットを基準として検出窓を生成する。
【００２５】
図５において、図６（ａ）に示すＬＰＰ二値化信号２４は第１のゲート７１と第２のゲート７４に供給される。図６（ｂ）に示す第１のゲート信号７７は先頭パルスのみを通過させる信号であり、第１のゲート７１で選別を行う。ここを通過した図６（ｃ）のパルス信号７９はカウンタ７６を起動し、ゲート制御回路７５で後続の二つのパルスを通過させる、図６（ｄ）に示す第２のゲート信号７８を発生する。パルス信号７９はまた、カウンタ７３を起動し、ゲート制御回路７２によって第１のゲート信号７７を発生する。第２のゲート回路７４は、第１のゲート信号７７および第２のゲート信号７８により、図６（ｅ）に示すランドプリピットのみを含むＬＰＰ（ランドプリピット）検出信号２８を出力する。
【００２６】
以下、ＬＰＰ復調回路８について、図７を用いて説明する。
図７は本発明によるＬＰＰ復調回路の一実施例を示すブロック図である。ＬＰＰの復調にあたっては、ＬＰＰ検出信号２８からＳＹＮＣピット検出回路８１にてＳＹＮＣピットパターンを検出し、ＬＰＰ検出信号２８から１／０判定回路８２で、１と０を判定する。この１又は０の情報をセクタレジスタ８３で所定個数集めることによりＬＰＰデータブロックの１セクタのデータが得られる。この１セクタのデータによりブロック先頭検出回路８４でブロック先頭タイミング２９が検出される。この１セクタのデータをプリピットブロックデータレジスタ８５に入力して、１６セクタ集めることにより１ブロックのプリピットデータブロックが構成される。このプリピットデータブロックにはアドレス情報およびその他のディスクに関する情報が含まれており、プリピットブロックデータレジスタ８５からアドレス３０を得ることができる。プリピットデータブロックには誤り検出訂正符合も含まれているため、このプリピットデータブロックを誤り検出、訂正回路８６に入力して、ピット検出で誤ったデータを検出し訂正することも出来る。また、誤りが検出されたが誤りの数が多く訂正できなかった場合には、以前のアドレスから誤っているアドレスを推定し、補間することも出来る。誤り検出・訂正・補間が行われたプリピットデータのうち、アドレスデータは記録制御回路１０に入力される。
【００２７】
以下、記録制御回路１０の一例を、図８を用いて説明する。
図８は本発明による記録制御回路の一実施例を示すブロックである。図において、１０１は後述するアドレス一致信号が発生したときのみブロック先頭検出パルスを通過させるゲート回路、１０２はブロック先頭検出パルスを起点として記録クロックを所定数計数した後変調回路制御信号をセットあるいはリセットする第１のカウンタ、１０３ａ、１０３ｂはブロック先頭検出パルスを起点として記録クロックを所定数計数した後記録データ制御信号３１ａ、３１ｂをセットあるいはリセットする第２、第３のカウンタ、１０９は変調回路制御信号を生成する第１のラッチ回路、１１０ａ、１１０ｂは記録データ制御信号を生成する第２、第３のラッチ回路、１０４は記録開始あるいは終了するための目標アドレスを格納しているレジスタ、１０５はＬＰＰ復調回路８より入力されるアドレスと目標アドレスレジスタ１０４のアドレスとの一致を検出する一致検出回路であり、アドレスが一致した場合には、ゲート回路１０１にアドレス一致検出信号を出力する。第１のカウンタ１０２、第２のカウンタ１０３ａ及び第３のカウンタ１０３ｂに対するカウント動作開始を指示する信号としてアドレスが一致したときのブロック先頭検出パルスが供給される。
【００２８】
記録開始時は、目標アドレスレジスタ１０４に設定したアドレスとプリピットアドレスとが一致したブロック先頭信号を起点として第１のカウンタ１０２、第２のカウンタ１０３ａ及び第３のカウンタ１０３ｂが動作を開始し、所定計数後第１のカウンタ１０２が第１のラッチ回路１０９をセットし、変調回路制御信号３２にて変調回路１１を動作状態に設定する。次に、第２のカウンタ１０３ａが第２のラッチ回路１１０ａをセットし、記録データ制御信号３１ａにて記録ビット列３７がレーザ駆動回路４に入力されるように設定する。第３のカウンタ１０３ｂによる第３のラッチ回路１１０ｂへのセットは、第１のカウンタ１０２と第２のカウンタ１０３ａ間の任意のタイミングで行われ、記録データ制御信号３１ｂにてレーザ制御信号３８がレーザ駆動回路４に入力されるように設定する。
【００２９】
一方、記録終了時は記録時と同様に目標アドレスレジスタ１０４に設定されたアドレスとプリピットアドレスとが一致したブロックのブロック先頭信号によって第１のカウンタ１０２、第２のカウンタ１０３ａ、及び第３のカウンタ１０３ｂが起動され、所定の計数後、まず、第２のカウンタ１０３ａにより第２のラッチ回路１１０ａがリセットされ記録ビット列３７がレーザ駆動回路４に入力されるのを阻止する。次に、第３のカウンタ１０３ｂが第３のラッチ回路１１０ｂをリセットし、レーザ制御信号３８がレーザ駆動回路４に入力されるのを阻止する。最後に第１のカウンタ１０２により第１のラッチ回路１０９がリセットされ、変調回路１１に動作停止を指示する。記録開始時と終了時の第１のカウンタ１０２、第２のカウンタ１０３ａ及び第３のカウンタ１０３ｂの計数値は各回路の状況に合わせてそれぞれ異なる値を設定できる。
【００３０】
目標アドレス、即ち書き始めや書き終わりのアドレスの設定は、図示していないマイクロコンピュータなどで構成されるシステム制御手段により、ランドプリピット信号より取得できるアドレス値と同じ形式のアドレス値が目標アドレスレジスタ１０４に設定される。追記を開始する目標アドレスは、記録履歴管理情報が媒体に記録されている場合、ドライブ装置がこの記録履歴管理情報をホストコンピュータに送信し、ホストコンピュータが同情報を用いて空き領域を認知し、追記を開始する目標アドレスを決定してドライブ装置に指示を行う。あるいは、ホストコンピュータは追記を行う指示のみを出し、ドライブ装置のシステム制御手段が記録履歴管理情報を読み取って目標アドレスを決定する。記録履歴管理情報を有しない媒体においては、ドライブ装置が媒体を探索し記録終端部を検知し、目標アドレスを決定する。追記を終了する目標アドレスは、記録履歴管理情報と追記データ量からホストコンピュータが終了アドレスを算出しドライブ装置に指示を行う。あるいは、ホストコンピュータから追記データ量の情報を受け取りドライブ装置のシステム制御手段が追記開始アドレスから終了アドレスを算出する。または、ホストコンピュータから追記終了の指示を受け、追記データの記録が終了するアドレスをドライブ装置が算出し終了アドレスを決定する。なお、変調回路１１の動作タイミングによって、実際に設定するアドレス値は記録開始アドレスあるいは記録終了アドレスから、１あるいは２アドレス減算した値を設定することが行われるが、この設定方法に本発明が制限されるものではない。
【００３１】
次に、図９を用いて、記録制御回路１０の第２の実施例について説明する。
図９は本発明による記録制御回路の第２の実施例を示すブロック図である。図において、図８と同じ構成については同一の番号を付け、その詳細な説明は省略する。第２の実施例では、常にＬＰＰ復調回路８から供給されるブロック先頭アドレスを起点として記録クロックを計数するブロックカウンタ１０６を有している。このブロックカウンタ１０６の各ビットの値をデコーダ１０７によりデコードすることにより変調回路起動信号１１１を出力し第１のラッチ回路１０９をセットし、変調回路制御信号３２を所定のタイミングで記録状態にする。デコーダ１０７にはまた一致検出回路１０５のアドレス一致信号も入力されており、実際に出力される変調回路起動信号１１１はアドレスが一致したときのみとなる。変調回路起動信号１１１はまた記録クロックを計数する第１のカウンタ１１４ａ、第２のカウンタ１１４ｂの起動信号ともなり、所定数計数した後、記録マスク解除信号１１２ａ、１１２ｂを出力する。記録終了時には、目標アドレスレジスタ１０４とプリピットアドレスが一致したブロックにおける所定のデコード値において記録マスク設定信号１１３ａ、１１３ｂを出力し、記録データ制御信号３１ａ、３１ｂを記録停止状態にする。次に、所定のデコード値で変調回路停止信号１１４を出力し、変調回路制御信号を停止常態にする。この構成例においても記録開始時及び終了時のデコーダ１０７のデコード値および第１のカウンタ１１４ａあるいは第２のカウンタ１１４ｂのカウント値はそれぞれ別々に設定可能である。
【００３２】
次に、図１０を用いて、記録開始時の動作手順について説明する。
図１０は記録開始時の動作手順を説明するための信号波形図であり、図１０（ａ）はディスクに記録されているプリピットブロックの配置を、図１０（ｂ）は復調されたプリピットブロックの配置を、図１０（ｃ）はアドレスの一致を検出したアドレス一致検出信号を、図１０（ｄ）はアドレス一致検出信号の遅延信号を、図１０（ｅ）は変調回路制御信号を、図１０（ｆ）は記録ビット列を、図１０（ｇ）はレーザ駆動回路制御信号を、図１０（ｈ）は記録データ制御信号を、図１０（ｉ）は遅延された記録データ制御信号を、図１０（ｊ）はゲート後のレーザ駆動回路制御信号を、図１０（ｋ）はゲート後の記録ビット列を示す。
【００３３】
図１０（ａ）、（ｂ）に示すように、ディスク上に記録されているプリピットブロックはＬＰＰ復調回路８のプリピットブロックデータレジスタ８５によって、１ブロック分遅延される。よって、アドレス一致回路１０５で目標アドレスと比較されるプリピット信号により検出されるプリピットアドレスが確定するタイミングはディスク上のピットの位置より１ブロック遅れる。したがって、目標アドレスとしては実際に記録すべきアドレスから２ブロック減算した値を設定する。目標アドレスに到達し、アドレス一致が検出されると所定の遅延の後、変調回路制御信号３２が記録状態になる。変調回路制御信号３２が記録状態になると、変調回路１１は変調動作を開始する。変調回路１１から出力される記録ビット列３５、レーザ駆動回路の記録モード／再生モードを切替えるレーザ駆動回路制御信号３６は記録ブロックの先頭から記録可能なタイミングで出力させるので、動作準備時間を考慮すると変調回路制御信号３２が記録状態になるのは、ブロック先頭より手前になる。ただし、このタイミングは変調回路１１の設計によって変化するのでこの例に限定されるものではない。
【００３４】
記録データ制御信号３１ａは記録ビット列３５の通過／阻止を制御し、記録データ制御信号３１ａがデータ通過状態になるタイミングは、実際にディスク上に記録を行うタイミングによって決定される。記録データ制御信号３１ｂはレーザ駆動回路の再生モードと記録モードの切替えを行うレーザ駆動回路制御信号３６の通過／阻止を制御する。この例では記録ビット列３５をレーザ駆動回路４に供給する前にレーザ駆動回路４の制御信号３８を通過させ記録状態に設定するタイミングとなっているが、この先行タイミングはレーザ駆動回路４の構成により変化するものであり、本例に限定されるものではない。また、レーザ駆動回路４の構成によってはレーザ駆動回路４のレーザ制御信号３８が不要な場合もありえる。
【００３５】
以下、記録のつなぎについて、図１１を用いて説明する。
図１１はつなぎ記録方法を説明するための模式図であり、図１１（ａ）は第１のつなぎ方法を、図１１（ｂ）は第２のつなぎ方法を示す。図１１に示すつなぎ記録方法のうち。図１１（ａ）に示すつなぎ記録方法の場合には、ブロックの先頭で記録データ制御信号３１ａ、３１ｂを通過状態に設定する。記録開始のアドレスはＬＰＰ信号を復調することによってわかる。この記録方法では、記録終了したＥＣＣブロックに隣接して記録を開始することができる。
図１１（ｂ）に示すつなぎ記録の場合には、ブロックの途中で記録データ制御信号３１ａ、３１ｂを通過状態に設定する。記録の終了前のＡ点で、ＥＣＣブロックの先頭値が記録される。記録開始時点は記録の終了時点と連続するが、記録を開始するＥＣＣブロックの先頭はＡ点となる。
【００３６】
いずれのつなぎ記録の場合においても、レーザ駆動回路４や光ピックアップ２等の遅延などの要件によって記録データ通過タイミングやレーザ駆動回路４のレーザ制御信号３８を調整する必要がある場合にも記録クロック単位で調整できる。記録終了の場合には実際の記録最終アドレスから１ブロック減算した値を目標アドレスに設定する。記録終了の場合にはまず記録を止める必要があるので、記録データ制御信号３１ａ、３１ｂを阻止状態にする。次に変調回路制御信号３２を停止状態に設定するが、変調回路１１はブロックの最後まで処理を行って後停止したほうがその後の処理に都合が良いので、変調回路制御信号３２はブロックの最後の時点で記録停止状態にする。あるいは、変調回路自体を、停止信号が入力されても動作中のブロックの処理が終了するまで停止しない構成にしておけば、変調回路制御信号３２は記録中のブロック内であれば任意のタイミングで停止状態に設定すればよい。
以上で説明したように、本発明によれば、任意に位置で記録の停止および開始を行えるので、つなぎ記録のバッファ領域を設けることなくつなぎ記録を実現することが出来る。
【００３７】
次に、本発明による記録再生装置の第２の実施例について、図１２を用いて説明する。
図１２は本発明による記録再生装置の第２の実施例を示すブロック図である。図において、図１と同一の構成要素については同一の番号を付してその詳細説明を省略する。
図１２の実施例において図１と異なる点は、記録制御回路１０ｂに記録停止信号３３が入力されたことにある。この記録停止信号３３は、図１の実施例で説明したあらかじめわかっている記録停止のための制御信号ではなく、突発的に発生した記録停止信号である。突発的に記録停止が発生する要因は、光ピックアップ２の光ビームを所定のトラックに照射するためのサーボ信号の乱れや、所定の回転を保つ必要があるスピンドルモータサーボの乱れであり、このサーボの乱れが発生するのは、外部からの衝撃やディスクの欠陥、ディスクの表面に付着したごみや汚れに起因するものであり予測することが出来ない。
【００３８】
これまでのドライブ装置ではこのような状態に陥ると直ちに記録を停止し、その後、記録停止の要因が無くなり回復しても記録を停止した位置がわからず、記録を再開することが出来なかった。したがって、それまで記録していたデータは無効となり、場合によってはそのディスク自体が使用できなくなることもあった。
【００３９】
図１２の実施例における記録制御回路１０ｂの構成例を図１３に示す。
図１３は本発明による記録制御回路の第３の実施例を示すブロック図である。図において、ブロックカウンタ１０６は記録クロック２６を計数し、プリピットアドレスが変化するブロック周期で１周するカウンタであり、ブロック内の記録データ位置を記録クロック単位で特定することができる。記録停止信号３３は、第１のラッチ１０９、第２のラッチ１１０ａ、第３のラッチ１１０ｂに供給されるので、記録データ制御信号３１ａ、３１ｂを阻止状態に設定し、変調回路制御信号３２を停止状態に設定すると同時に、その時のプリピットアドレス３０とブロックカウンタ１０６の値を停止状態保持レジスタ１１５に保持する。この回路に拠れば、サーボ回路（図示せず）やシステムコントローラ（図示せず）から記録停止信号３３が出力されたときに、直ちに記録データ制御信号３１ａ、３１ｂを阻止状態にすると同時に、記録を停止したブロックアドレスとそのブロック内の位置を記録クロック単位で記憶し、記録停止要因が無くなり定常の状態に復帰した後に、システムコントローラ（図示せず）がレジスタ１１５を読み取り、その値によって目標アドレスと記録開始でコード値を設定することにより、記録を停止した時点から記録を再開できるので、それまでの記録データを無駄にすることがない。
【００４０】
次に、本発明による記録再生装置の第３の実施例について、図１４を用いて説明する。
図１４は本発明による記録再生装置の第３の実施例を示すブロック図である。図において、図１２と同じ構成要件には同一の符号を付け、その説明を省略する。図１４の実施例と第１及び第２の実施例との違いは、光ディスク１にあらかじめ記録されているアドレス情報の記録形態及びその検出方法にある。第１及び第２の実施例においては、アドレス情報はランドプリピットでディスク上に形成されていたが、本実施例では、ウォブル信号中にアドレスデータが変調されて記録されている光ディスクに本発明を適用する場合のものである。ウォブル信号中にアドレスデータを変調する方法としては、周波数変調方式及び位相変調方式が知られている。実際の光ディスクとしては、ＣＤ−Ｒ／ＲＷディスク及びＤＶＤ＋ＲＷディスクがこれらに相当する。光ディスクより信号を再生する動作に関しては第１及び第２の実施例と同様であるので説明を省略する。フロントエンド増幅器５より出力されるウォブル信号２３はウォブル検出回路６により記録クロック生成回路９の基準信号となるウォブル検出信号２５と、ウォブルデータ復調回路３９においてアドレスデータやその他のデータに復調されるウォブルデータ信号４０とに分離される。ウォブルデータ信号４０はその周波数成分として周波数変調や位相変調成分が含まれた信号であり、ウォブル検出信号２５は周波数変調や位相変調の搬送波周波数成分のみを取り出した信号である。ウォブルデータ復調回路３９で復調されたアドレスデータは、記録制御回路１０ｂに入力され、図１３におけるブロック先頭信号２９およびプリピットアドレス３０になる。
【００４１】
この後の、目標アドレスとの一致検出、変調回路制御信号生成、記録信号制御信号生成動作、サーボ異常等による記録停止信号により停止した時点のブロックカウンタ値及びアドレス値を停止状態保持レジスタに保持する動作に関しては第２の実施例と同一であるので説明を省略する。
また、変調回路制御信号や記録信号制御信号によって変調回路の出力のレーザ駆動回路への接続を通過／阻止を行う動作、停止状態保持レジスタに保持されている値を次の記録開始位置とする動作についても第２の実施例と同一である。なお、図１４においては、記録制御回路の例として、図１３の構成例で説明しているが、図８及び図９の構成例が適用できることは明らかである。
【００４２】
【発明の効果】
以上述べたように、本発明によれば、バッファ領域を必要としないつなぎ記録を実現できる。
さらには、予期できない要因で記録を停止した場合においても、記録停止位置から記録を再開できるので、それまでに記録したデータやディスクを無駄にすることがない。
【図面の簡単な説明】
【図１】本発明による記録再生装置の第１の実施例を示すブロック図である。
【図２】ＤＶＤ−Ｒ／ＲＷディスクの一部断面斜視図である。
【図３】ウォブル信号及びＬＰＰ信号の検出波形図である。
【図４】記録クロック生成回路の一実施例を示すブロック図である。
【図５】本発明によるＬＰＰ回路の一実施例を示すブロック図である。
【図６】図５に示すＬＰＰ回路の動作を説明するためのタイミングチャートである。
【図７】本発明によるＬＰＰ復調回路の一実施例を示すブロック図である。
【図８】本発明による記録制御回路の一実施例を示すブロックである。
【図９】本発明による記録制御回路の第２の実施例を示すブロック図である。
【図１０】記録開始時の動作手順を説明するための信号波形図である。
【図１１】つなぎ記録方法を説明するための模式図である。
【図１２】本発明による記録再生装置の第２の実施例を示すブロック図である。
【図１３】本発明による記録制御回路の第３の実施例を示すブロック図である。
【図１４】本発明による記録再生装置の第３の実施例を示すブロック図である。
【符号の説明】
１…光ディスク、２…光ピックアップ、３…スピンドルモータ、４…レーザ駆動回路、５…フロントエンド増幅器、６…ウォブル検出回路、７…ＬＰＰ検出回路、８…ＬＰＰ復調回路、９…記録クロック生成回路、１０…記録制御回路、１１…変調回路、１２…復調回路、１３…訂正回路、１４…訂正符号生成回路、１５…ホストインターフェイス、１６ａ…第１のゲート回路、１６ｂ…第２のゲート回路、３９…ウォブルデータ復調回路。
【図１】
0003884940.tif 000002
【図２】
0003884940.tif 000003
【図３】
0003884940.tif 000004
【図４】
0003884940.tif 000005
【図５】
0003884940.tif 000006
【図６】
0003884940.tif 000007
【図７】
0003884940.tif 000008
【図８】
0003884940.tif 000009
【図９】
0003884940.tif 000010
【図１０】
0003884940.tif 000011
【図１１】
0003884940.tif 000012
【図１２】
0003884940.tif 000013
【図１３】
0003884940.tif 000014
【図１４】
0003884940.tif 000015